(57)【要約】膨張装置と接続して用いるハウジングは、スナップフィット接続によりシリンジ本体に連結され得る。スナップフィット式機構は、アダプタと、押圧可能ロックなどのロックとを含むことができる。ハウジングは、電気回路と、複数の弾性ピンに置かれる表示画面とを包囲することができる。回路基板は、１つ又は２つ以上のヒートピンを介してハウジング内の所定の位置に保持されてもよい。膨張装置は、シリンジの流体貯蔵器内の圧力を測定するように構成され得る。
2018520736.tif 000002
【特許請求の範囲】
【請求項１】
シリンジ組立体であって、
流体貯蔵器を画定する細長いシリンジバレルと、
スナップフィット接続を介して前記細長いシリンジバレルに連結されているハウジングと、
圧力変換器と、
前記細長いシリンジバレルの前記流体貯蔵器が、前記圧力変換器と流体連通にあるように前記細長いシリンジバレルの壁を貫通して延びる開口と、
を備え、
前記スナップフィット接続が、
前記細長いシリンジバレルに連結されているアダプタであって、前記アダプタは複数のフランジを含み、前記複数のフランジの各フランジは前記ハウジングと接触している、アダプタと、
前記ハウジングに連結されているロックであって、前記ロックは、前記ハウジングに対する前記アダプタの移動を防止する、ロックと、
を含む、シリンジ組立体。
【請求項２】
回路基板及び表示画面を更に備え、前記回路基板及び前記表示画面は各々、前記ハウジング内に配設されている、請求項１に記載のシリンジ組立体。
【請求項３】
前記圧力変換器が前記アダプタと前記ロックとの間に配設されている、請求項１又は２に記載のシリンジ組立体。
【請求項４】
前記圧力変換器、前記回路基板、及び前記表示画面が互いに電気通信するように構成されている、請求項２又は３に記載のシリンジ組立体。
【請求項５】
前記ロックが前記アダプタと係合するように構成されており、前記ロックが押圧された後に前記ハウジングに対する前記アダプタの移動を防止する、請求項１〜４のいずれか一項に記載のシリンジ組立体。
【請求項６】
前記ロックは、前記ハウジングと連結するための第１部分及び前記アダプタが前記ハウジングの中に挿入される際に上向きに偏向するように構成されている第２部分を含む、請求項１〜５のいずれか一項に記載のシリンジ組立体。
【請求項７】
前記圧力変換器が、無半田電気接続を介して前記回路基板と電気通信にある、請求項２〜６のいずれか一項に記載のシリンジ組立体。
【請求項８】
前記圧力変換器が、エラストマコネクタを介して前記回路基板と電気通信にある、請求項２〜６のいずれか一項に記載のシリンジ組立体。
【請求項９】
前記エラストマコネクタが、前記ロックを貫通して延びる、請求項８に記載のシリンジ組立体。
【請求項１０】
前記回路基板が、１つ又は２つ以上のヒートピンを介して前記ハウジングに連結されている、請求項２〜９のいずれか一項に記載のシリンジ組立体。
【請求項１１】
前記表示画面は、前記ハウジングに連結されている複数の弾性ピンによって支持されており、前記複数の弾性ピンは、前記表示画面に加えられた１つ又は２つ以上の力にために偏向するように構成されている、請求項２〜１０のいずれか一項に記載のシリンジ組立体。
【請求項１２】
前記複数の弾性ピンは、偏向されていない場合には垂直方向に向けられており、前記弾性ピンは、前記表示画面に加えられる１つ又は２つ以上の力のために略外向きの方向に偏向するように構成されている、請求項１１に記載のシリンジ組立体。
【請求項１３】
前記表示画面は液晶表示画面である、請求項２〜１２のいずれか一項に記載のシリンジ組立体。
【請求項１４】
前記開口は０．８ｍｍ以下の長さの半径を有する、請求項１〜１３のいずれか一項に記載のシリンジ組立体。
【請求項１５】
前記開口は０．６ｍｍ以下の長さの半径を有する、請求項１４に記載のシリンジ組立体。
【請求項１６】
前記ハウジングは下部分及び上部分を含み、前記ハウジングの前記下部分及び前記ハウジングの前記上部分は、組み立ての間に互いに連結されている、請求項１〜１５のいずれか一項に記載のシリンジ組立体。
【請求項１７】
膨張装置を製造する方法であって、前記方法は、
アダプタに連結されているシリンジ本体を取得することであって、前記シリンジ本体は、前記シリンジ本体の側壁を貫通して延びる開口を含む、ことと、
前記アダプタをハウジングの下部分の開口の中に挿入することと、
前記アダプタを前記ハウジングの前記下部分にロックすることと、
を含む、方法。
【請求項１８】
前記アダプタを前記ハウジングの前記下部分にロックすることは、ロックの少なくとも一部分を、前記ロックが前記アダプタと係合して、前記ハウジングの前記下部分に対する前記アダプタの移動を防止するように押圧することを含む、請求項１７に記載の方法。
【請求項１９】
前記ハウジングが回路基板及び表示画面を包囲するように、前記ハウジングの上部分を前記ハウジングの前記下部分に連結することを更に含み、前記ハウジングの前記上部分を前記ハウジングの前記下部分に連結することは、前記表示画面に力を及ぼし、前記表示画面を支持し、かつ前記ハウジングに連結されている１つ又は２つ以上の弾性ピンの偏向を引き起こす、請求項１７又は１８に記載の方法。
【請求項２０】
前記表示画面は、前記ハウジングの前記上部分と前記１つ又は２つ以上の弾性ピンとの間に配設されており、前記ハウジングの前記上部分を介して前記表示画面に加えられた下向きの力は、前記ハウジングの前記下部分に対する前記表示画面の下向きの変位及び前記１つ又は２つ以上の弾性ピンの外向きの偏向を引き起こす、請求項１９に記載の方法。
【請求項２１】
前記アダプタを前記ハウジングの前記下部分の前記開口部の中に挿入することは、前記ロックの少なくとも一部分を偏向させることを含む、請求項１７〜２０のいずれか一項に記載の方法。
【請求項２２】
膨張装置であって、
流体貯蔵器を画定するシリンジ本体と、
表示画面と、
前記表示画面用のハウジングであって、前記ハウジングは前記シリンジ本体に連結されており、前記ハウジングは第１部分及び第２部分を含む、ハウジングと、
前記流体貯蔵器と流体連通にある圧力変換器であって、前記圧力変換器は、前記表示画面と電気通信するように構成されている、圧力変換器と、
前記ハウジングに連結されている複数の弾性ピンであって、前記複数の弾性ピンは前記表示画面を支える、複数の弾性ピンと、
を備え、
前記ハウジングの前記第１部分は、前記ハウジングの前記第２部分への連結の結果として、前記表示画面に力を及ぼし、前記弾性ピンの偏向を引き起こす、膨張装置。
【請求項２３】
前記ハウジングの前記第１部分は前記ハウジングの上部分であり、前記ハウジングの前記第２部分は前記ハウジングの下部分である、請求項２２に記載の膨張装置。
【請求項２４】
回路基板を更に備え、前記圧力変換器は、無半田電気接続を介して前記回路基板に電気通信にある、請求項２２又は２３に記載の膨張装置。
【請求項２５】
前記圧力変換器はエラストマコネクタを介して前記回路基板と電気通信にある、請求項２４に記載の膨張装置。
【請求項２６】
前記シリンジ本体に連結されているアダプタと、
前記ハウジングに連結されているロックと、
を更に備え、
前記ロックは、前記ハウジングに前記アダプタを連結し、前記ハウジングに対する前記アダプタの移動を防止する、請求項２２〜２５のいずれか一項に記載の膨張装置。
【発明の詳細な説明】
【技術分野】
【０００１】
［関連出願］
本出願は、２０１５年７月６日に出願された米国仮出願第６２／１８８，９９７号、表題「Ｈｏｕｓｉｎｇｓ  Ｆｏｒ  Ｕｓｅ  Ｗｉｔｈ  Ｉｎｆｌａｔｉｏｎ  Ｄｅｖｉｃｅｓ  ａｎｄ  Ｒｅｌａｔｅｄ  Ｍｅｔｈｏｄｓ」の優先権を主張し、その全体が参照により本明細書に組み込まれる。
【０００２】
本開示は、概して医療用装置の分野に関する。特に、本開示のいくつかの実施形態は、関連する構成要素及び方法とともに、ハウジングを含む膨張装置に関する。
【図面の簡単な説明】
【０００３】
【図１】膨張装置の斜視図である。
【図２】図１の膨張装置の分解斜視図である。
【図３Ａ】シリンジ本体がハウジングの下部分から離脱している、組み立てられていない構成における図１の膨張装置の一部分の斜視図である。
【図３Ｂ】シリンジ本体がハウジングの下部分に連結している、組み立てられた構成における、図３Ａに描写された膨張装置の一部分の斜視図である。
【図４Ａ】ロック解除され、部分的に組み立てられた構成における図１の膨張装置の一部分の断面図である。
【図４Ｂ】ロックされて組み立てられた構成における図１の膨張装置の一部分の断面図である。
【図５Ａ】部分的に組み立てられた構成における図１の膨張装置の一部分の斜視図である。
【図５Ｂ】図５Ａの部分的に組み立てられた構成における図１の膨張装置の一部分の別の斜視図である。
【図６Ａ】別の部分的に組み立てられた構成における図１の膨張装置の一部分の斜視図である。
【図６Ｂ】図６Ａの部分的に組み立てられた構成における図１の膨張装置の一部分の別の斜視図である。
【図７Ａ】別の部分的に組み立てられた構成における図１の膨張装置の一部分の斜視図である。
【図７Ｂ】図７Ａの部分的に組み立てられた構成における図１の膨張装置の一部分の別の斜視図である。
【発明を実施するための形態】
【０００４】
本明細書に記載される書面による開示は、非限定的かつ非網羅的である例示的な実施形態について記載する。このような例示的な実施形態のうちのある特定のものについて参照がなされ、それらが図面に図示される。
［詳細な説明］
【０００５】
本開示は、概してシリンジ組立体、膨張装置、膨張装置構成要素、及び流体を加圧、減圧、及び／又はそうでなければ変位するための関連方法に関する。ある実施形態は、特に、ハウジングがスナップフィット接続を介してシリンジに連結される膨張装置に関する。他の又は更なる実施形態は、複数の弾性ピンによって支持される表示画面を含む膨張装置に関し、複数の弾性ピンは、表示画面がハウジング内に固定される際に外向きに偏向する。
【０００６】
実施形態の構成要素は、本明細書の図面にて一般的に説明及び図示されるように、広範囲の異なる構成にて配置及び設計可能である。したがって、図に表される様々な実施形態の以下のより詳細な記載は、本開示の範囲を限定するものではなく、単に様々な実施形態を表すものである。実施形態の様々な態様が図面に提示されるが、この図面は、特に示されない限り、必ずしも縮尺通りに描かれていない。
【０００７】
「接続される」及び「連結される」という表現は、その通常の意味に用いられ、２つ以上の実体間での何らかの好適な連結、又は機械的、流体的及び熱的相互作用を含む、他の形態の相互作用を指す程度に広義である。２つの構成要素は、互いに直接接触していないとしても、互いに連結され得る。「取り付けられる」又は「直接取り付けられる」という表現は、互いに直接接触している、及び／又は任意の適切な様々な締結具（例えば、接着剤、ねじ）によってのみ互いに分離している、２つ以上の実体間での相互作用を指す。「流体連通」という表現は、各要素が互いに流体連通しているとき、流体（例えば、ガス又は液体）が、一方の要素から他方の要素へと流れることができる配置を指す。
【０００８】
「ヒートピン」という用語は、ハウジングに連結するための第１端部と、熱を加えることで変形するように構成される第２端部とを含む細長い構造体を指す。
【０００９】
「近位」及び「遠位」という用語は、反対の方向の用語である。例えば、装置又は構成要素の遠位端部は、通常使用中、施術者から最も遠い構成要素の端部である。近位端部は、その反対の端部、又は通常使用中、施術者から最も近い端部を指す。
【００１０】
図１〜図７Ｂは、膨張装置１００又はその部分の別の図を提供する。例えば、図１は、組み立てられた膨張装置１００の斜視図を提供する。膨張装置１００は、とりわけ、ハンドル１０２、プランジャ１０４、シリンジ本体１１０（例えば、細長いシリンジバレル）、及びハウジング１２０を含む。図１に描かれるように、ハンドル１０２はプランジャ１０４の近位端部に連結される。プランジャ１０４は、シリンジ本体１１０内に配設されるように構成されてもよく、シリンジ本体１１０内のプランジャ１０４の前進は、シリンジ本体１１０の流体貯蔵器１１２内に配設される流体の変位を生じさせる。いくつかの実施形態では、プランジャ１０４は、複数のねじ山（図示なし）を介してシリンジ本体１１０に選択的に連結するように構成される。更なる実施形態では、ハンドル１０２は、シリンジ本体１１０へのプランジャ１０４の連結及び／又は離脱において機械的な有用性を供給するように設計される１つ又は２つ以上の要素を含む。
【００１１】
膨張装置１００は、医療器具、又は椎間板のような他の加圧可能要素を膨張及び／又は加圧するのに用いられてもよい。例えば、いくつかの実施形態では、膨張装置１００は、バルーンカテーテル（図示なし）のような医療器具を膨張するのに用いられてもよい。特に、シリンジ本体１１０の遠位ポート１１４は、バルーンカテーテルに接続され得る。プランジャ１０４がシリンジ本体１１０内に前進すると、流体はシリンジ本体１１０の流体貯蔵器１１２から、遠位ポート１１４を通ってバルーンカテーテルの中に押し流され、それによってバルーンカテーテルのバルーンを膨張させ得る。膨張装置１００は、他の医療器具を膨張するために類似の方法で用いられてもよい。他の例では、膨張装置１００は、腰部誘発椎間板造影処置において椎間板のような他の要素を加圧するのに用いられ得る。
【００１２】
図１に示されるように、膨張装置１００はまた、シリンジ本体１１０に連結するように構成されるハウジング１２０を含んでもよい。ハウジング１２０は、膨張装置１００の１つ又は２つ以上の構成要素を包囲又は取り囲んでもよく、シリンジ本体１１０内の圧力の測定を容易にする。言い換えれば、膨張装置１００は、医療処置の間にシリンジ本体１１０内の圧力を測定するのに用いられ得る。
【００１３】
図２は、膨張装置１００の一部分の分解斜視図を提供する。特に、図２は、とりわけ、シリンジ本体１１０の遠位領域、シリンジ本体１１０の壁を貫通して延びる開口１１６、シリンジ本体１１０に連結されるアダプタ１３０、アダプタ１３０を介してシリンジ本体１１０に連結するように構成されるハウジングの下部分１２０ｂ、ベースプレート１４２に連結される圧力変換器１４０、エラストマコネクタ１５０、アクチュエータ１６０、複数の穴１７２を有する回路基板１７０、電源１８０、表示画面１９０、及びハウジングの上部分１２０ａを示す。組み立てられると、圧力変換器１４０、エラストマコネクタ１５０、回路基板１７０、及び表示画面１９０は、互いに電気通信にあってもよい。
【００１４】
図２に示すように、開口１１６及びアダプタ１３０は、シリンジ本体１１０の遠位端部に隣接して配設され得る。アダプタ１３０は、任意の適切な方法でシリンジ本体１１０に取り付けられ得るか、そうでなければ連結され得る。例えば、アダプタ１３０は、シリンジ本体１１０と一体的に形成されてもよく、シリンジ本体１１０に溶接されてもよく、又は接着剤を介してシリンジ本体１１０に取り付けられてもよい。
【００１５】
図示された実施形態では、アダプタ１３０は複数のフランジ１３４ａ、１３４ｂ、１３４ｃを含む。例えば、図示の実施形態は、アダプタ１３０の下部分の遠位に延びる遠位フランジ１３４ａと、アダプタ１３０の下部分の横方向に延びる２つの近位フランジ１３４ｂ、１３４ｃとを含む。フランジ１３４ａ、１３４ｂ、１３４ｃの各々は、ハウジングの下部分１２０ｂの上部面と接するように構成される下部面を含む。
【００１６】
アダプタ１３０は、（１）圧力変換器１４０と（２）圧力変換器１４０に取り付けられるか、そうでなければ連結されるベースプレート１４２との両方を受容するように構成されるキャビティ１３２を含み得る。
【００１７】
圧力変換器１４０は、膨張装置１００が完全に組み立てられる場合、シリンジ本体１１０の流体貯蔵器１１２と流体連通にあってもよい。言い換えれば、シリンジ本体１１０の流体貯蔵器１１２からの流体は、シリンジ本体１１０の側壁を通過し、ベースプレート１４２を通過してもよく、その結果、圧力変換器１４０は、シリンジ本体１１０によって画定される流体貯蔵器１１２と流体連通にある。つまり、いくつかの実施形態では、流体はシリンジ本体１１０の壁とベースプレート１４２との両方を貫通して延びる開口１１６（又は開口の一群）を通過し得る。いくつかの実施形態では、開口１１６の断面は、０．８ｍｍ、０．６ｍｍ及び／又は０．４ｍｍ以下の長さの半径を有する。開口１１６の幾何学は、開口１１６の中への気泡の侵入を最小にし得るか、そうでなければ減少し得る。例えば、他の構成要素に対する開口１１６のサイズ、形状及び／又は位置は、その中の空気の巻き込みを最小限にし、又は防止し得る。いくつかの実施形態では、シール（図示なし）は、ベースプレート１４２とシリンジ本体１１０との間に配設されてもよく、したがってベースプレート１４２とシリンジ本体１１０との間に気密シールを供給する。更に加えて又は代替として、ベースプレート１４２は接着剤を介してシリンジ本体１１０に接着されてもよい。開口１１６は、シリンジ本体１１０に隣接する半径方向に拡大された部分を含むことができ、その結果、ベースプレート１４２をシリンジ本体１１０に接着するのに用いられる過剰な接着剤は、開口１１６の中央領域を塞ぐのではなく拡大部分に流入する。
【００１８】
ベースプレート１４２は、任意の適切な材料（例えば、流体不浸透性材料）から作製され得る。例えば、いくつかの実施形態では、ベースプレート１４２は、セラミック基板と、図２においてベースプレート１４２の近位端部に隣接して描かれるような、変換器１４０から複数の電気接点１４４へ延在する複数の電気導管を含む。動作時に、圧力変換器１４０は、圧力をアナログ電気信号に変換し得る。その後、信号は、電気導管を介して電気接点１４４に中継され得る。
【００１９】
図３Ａは、シリンジ本体１１０がハウジングの下部分１２０ｂから離脱される部分的に組み立てられた構成にある膨張装置１００の一部分の斜視図を提供する。図３Ｂは、図３Ａに描かれる膨張装置１００の部分の斜視図を提供し、アダプタ１３０を介してハウジングの下部分１２０ｂに連結されたシリンジ本体１１０を備える。
【００２０】
図３Ａ及び図３Ｂを参照すると、ハウジングの下部分１２０ｂは、アダプタ１３０とロック１５４とを含むスナップフィット接続を介して細長いシリンジ本体１１０に連結するように構成され得る。例えば、図２を参照して説明されるように、アダプタ１３０のキャビティ１３２内に配設された圧力変換器１４０及びベースプレート１４２とともに、アダプタ１３０はハウジングの下部分１２０ｂの開口部１２６を通して挿入され、その後、ハウジングの下部分１２０ｂに取り付けられ得るか、そうでなければ連結され得る。特に、シリンジ本体１１０及びアダプタ１３０は、図３Ａに示すように、ハウジングの下部分１２０ｂから最初は離脱されてもよい。アダプタ１３０を図３Ａに示す位置からハウジングの下部分１２０ｂに挿入するために、シリンジ本体１１０及びアダプタ１３０をシリンジ本体１１０の長手方向軸に沿って回転することができ、その結果、第１近位フランジ１３４ｂは、第１近位フランジ１３４ｂの反対側に配設される第２近位フランジ１３４ｃよりも高く配設される。次に第１近位フランジ１３４ｂは、ハウジングの下部分１２０ｂの開口部１２６を通して挿入され得る。一旦、第１近位フランジ１３４ｂがハウジングの下部分１２０ｂの開口部１２６に十分に深く挿入されると、シリンジ本体１１０及びアダプタ１３０は回転されることができ、第２近位フランジ１３４ｃも同様に開口部１２６を通過する。一旦、両方の近位フランジ１３４ｂ、１３４ｃが開口部１２６を通過すると、アダプタ１３０は、図３Ｂに示すようにハウジングの下部分１２０ｂの１つ又は２つ以上の表面（例えば、傾斜面１２７）の上に置くことができる。言い換えれば、一旦、アダプタ１３０がハウジングの下部分１２０ｂの開口部１２６の中に挿入されると、アダプタ１３０はハウジングの下部分１２０ｂに接することができ、複数のフランジ１３４ａ、１３４ｂ，１３４ｃの下部面はハウジングの下部分１２０ｂの上部面と接する。
【００２１】
図示された実施形態では、ロック１５４はハウジングの下部分１２０ｂに取り付けられるか、そうでなければ連結される。例えば、いくつかの実施形態では、ロック１５４はハウジングの下部分１２０ｂに一体的に形成される。ロック１５４のロック機構は、図４Ａ及び図４Ｂと関連して以下により詳細に論じる。
【００２２】
ロック１５４は、エラストマコネクタ１５０（図３Ｂを参照）を受容するように構成されるスロット１５８（図３Ａを参照）を含んでもよい。言い換えれば、エラストマコネクタ１５０は、スロット１５８を介してロック１５４を貫通して延びてもよい。エラストマコネクタ１５０は、回路基板１７０（例えば、図２を参照）に圧力変換器１４０を電気的に連結するように構成され得る。言い換えれば、エラストマコネクタ１５０は、（１）ベースプレート１４２の電気接点１４４と（２）回路基板１７０との両方と電気接続を確立し得る。いくつかの実施形態では、エラストマコネクタ１５０は、シリコーンゴムのような圧縮可能材料を含んでもよい。このような材料は、エラストマコネクタ１５０がベースプレート１４２及び回路基板１７０によって供給された対向する力によって圧搾される場合に、圧縮されるのを可能にする。
【００２３】
いくつかの実施形態では、エラストマコネクタ１５０は、複数の垂直方向に配向される層を含む。層は、導電層が非導電層に隣接する交互のパターンで配置されてもよい。圧力変換器１４０からベースプレート１４２の電気接点１４４に中継される電気信号は、エラストマコネクタ１５０の１つ又は２つ以上の導電層を介して回路基板１７０に伝えられ得る。この方法で、圧力変換器１４０と回路基板１７０との間の無半田電気接続が確立され得る。
【００２４】
図４Ａ及び図４Ｂは、膨張装置１００の一部分の断面図を提供する。特に、図４Ａは、部分的に組み立てられてロック解除された構成にある膨張装置１００の断面図を提供し、一方図４Ｂは、組み立てられてロックされた構成にある膨張装置１００を示す。
【００２５】
図４Ａを参照すると、アダプタ１３０は、アダプタ１３０が図３Ａ及び図３Ｂに関連して上述するようにハウジングの下部分１２０ｂの開口部を通して挿入される際に、ハウジングの下部分１２０ｂに連結されるロック１５４に上向きの力を及ぼすことができる。例えば、図４Ａに示すように、アダプタ１３０が、ハウジングの下部分１２０ｂに挿入される際に、ロック１５４の遠位部分は上向きの方向に偏向されてもよい。
【００２６】
ロック１５４は、ハウジングの下部分１２０ｂに連結するための第１（例えば、近位）部分と、アダプタ１３０がハウジングの下部分１２０ｂの開口部に挿入される際に上向きに偏向するように構成される第２（例えば、遠位）部分を含んでもよい。ロック１５４の第２部分はまた、アダプタ１３０と係合するように構成される下向き突起部１５６を含んでもよく、ハウジングの下部分１２０ｂに対するアダプタ１３０の移動を防止する。言い換えれば、一旦、アダプタ１３０が開口部を通して挿入されると、複数のフランジ（例えば、フランジ１３４ａ）の下部面はハウジングの下部分１２０ｂと接し、ロック１５４の遠位部分に付加された下向きの力は、ロック１５４の下向き突起部１５６を、図４Ｂに示すようにアダプタ１３０と係合させ、これによりハウジングの下部分１２０ｂに対するアダプタ１３０の移動を抑制することができる。下向きの力は、外部的に付加されてもよく（例えば、ロック１５４の遠位部分が手動で押圧されてもよく）、又は図４Ｂに示すように配設されるロック１５４の付勢に起因してもよい。図６Ａ及び図６Ｂに関連して更に以下に詳述するように、回路基板１７０は、図４Ｂに示すように下向き突起部１５６がアダプタ１３０と係合される位置にロック１５４を保持するように、ロック１５４の上に置かれてもよい。この方法では、アダプタ１３０は、ハウジングの下部分１２０ｂに連結されるロック１５４を介してハウジングの下部分１２０ｂに対する所定の位置にロックされ得る。
【００２７】
図４Ａ及び図４Ｂはまた、ハウジングの上部分１２０ａ、表示画面１９０、弾性ピン１８４、ヒートピン１８２、電源１８０、エラストマコネクタ１５０、圧力変換器１４０、ベースプレート１４２、及びシリンジ本体１１０のような、他の図に関連してより詳述される膨張装置１００の他の構成要素を示す。図４Ｂは、膨張装置１００が組み立てられた構成にある場合に、圧力変換器１４０及び圧力変換器１４０用のベースプレート１４２が、アダプタ１３０とロック１５４との間に配設され得ることを示す。
【００２８】
図５Ａ及び図５Ｂは、部分的に組み立てられた構成（例えば、回路基板１７０の設置前）にある膨張装置１００の遠位端部の別の斜視図を提供する。図５Ａ及び図５Ｂに提供される図は、他の図と関連して上述されたシリンジ本体１１０、ハウジングの下部分１２０ｂ、アダプタ１３０、エラストマコネクタ１５０、及びロック１５４のような、様々な膨張装置構成要素を示す。
【００２９】
図５Ａ及び図５Ｂはまた、膨張装置１００の様々な他の要素を示す。例えば、示された実施形態は、複数のヒートピン１８２、複数の弾性ピン１８４、複数の側面支持体１８７、複数の連結要素１８８、及びアクチュエータ１６０を含む。
【００３０】
示された実施形態では、各ヒートピン１８２は、ハウジングの下部分１２０ｂに連結するための第１端部と、熱を加えることにより変形（すなわち、形状を変える）ように構成される第２端部とを有する細長いシャフトを含む。ヒートピン１８２は、ハウジングの下部分１２０ｂのベースから実質的に垂直方向に延在してもよい。示された実施形態では、ヒートピン１８２はまた、細長いシャフトから横方向に延在する１つ又は２つ以上の肩部を含む。肩部は、回路基板を支持するように構成され得る。
【００３１】
複数の弾性ピン１８４の各弾性ピン１８４は、ハウジングの下部分１２０ｂのベースから略上向きの方向に延在し得る。弾性ピン１８４は、略細長い形状であってもよい。いくつかの実施形態では、弾性ピン１８４は、表示画面１９０を支えるように成形されるトップ部分を含む（図４Ｂ、図７Ａ及び図７Ｂを参照）。例えば、示された実施形態では、トップ部分は傾斜部分１８５及び棚部１８６を含む。弾性ピン１８４は、ポリカーボネート又は他のプラスチック材料のような、偏向可能な材料で形成されてもよく、又は偏向可能な材料を含んでもよい。
【００３２】
図４Ｂを参照すると、弾性ピン１８４は、表示画面１９０を支えている場合に外向きに偏向するように構成され得る。つまり、下向きの力がハウジングの上部分１２０ａによって表示画面１９０に加えられると、弾性ピン１８４は外向きに偏向できる。そのような偏向は、少なくとも部分的に弾性ピン１８４の形状、構造、厚さ及び／又は幾何学のためであり得る。例えば、弾性ピン１８４の比較的薄い傾斜部分１８５は、外向きに偏向することができ、一方、弾性ピン１８４の残りの部分は偏向しない（又は、傾斜部分１８５よりも小さい程度に偏向される）。
【００３３】
図５Ａ及び図５Ｂを参照すると、複数の連結要素１８８は、ハウジングの下部分１２０ｂをハウジングの上部分に連結するように構成され得る。いくつかの実施形態では、ハウジングの下部分１２０ｂの連結要素１８８は、ハウジングの上部分の連結要素にスナップフィット接続を介して連結するように構成される。
【００３４】
複数の側面支持体１８７は、表示画面を支持するように構成される棚部を含んでもよい。いくつかの実施形態では、側面支持体１８７は、ハウジングの下部分１２０ｂの１つ又は２つ以上の側面から延在する。
【００３５】
アクチュエータ１６０は、膨張装置１００に電源投入するように構成され得る。言い換えれば、アクチュエータ１６０を用いて、膨張装置１００を無効状態と有効状態との間でトグルすることができる。他の、又は更なる実施形態では、アクチュエータ１６０は、回路基板１７０及び表示画面１９０と通信するように構成され得て、アクチュエータの操作により表示画面１９０を異なる視覚的表示の間で移行させる。示された実施形態では、施術者は、アクチュエータ１６０を操作するため、ハウジングの下部分１２０ｂの下面に置かれたボタンを上向きに押すことができる。
【００３６】
図６Ａ及び図６Ｂは、部分的に組み立てられた構成にある膨張装置１００の遠位端部の別の斜視図を提供する。特に、これらの図は、ハウジングの下部分１２０ｂに連結される回路基板１７０を示す。
【００３７】
回路基板１７０は、電気回路構成要素及び複数の穴１７２（穴１７２は図２に示す）を含んでもよい。電気回路構成要素は、圧力変換器からの信号を、シリンジ本体１１０の流体貯蔵器１１２内の圧力を表す読み出しに変換することを容易にするロジックを含み得る。示された実施形態では、回路基板１７０は、ヒートピン１８２の上に置かれ、回路基板１７０はヒートピン１８２の１つ又は２つ以上の肩部に載せられる。言い換えれば、回路基板１７０は、回路基板１７０の複数の穴１７２をヒートピン１８２と位置合わせして置かれることで、ヒートピン１８２のトップ部分が回路基板１７０の穴１７２を貫通して延びることができる。次に、熱をヒートピン１８２のトップ部分に加えることができ、ヒートピン１８２の変形を引き起こす。例えば、ヒートピン１８２は、図６Ａ及び図６Ｂに示すように、マッシュルーム形ヘッドを形成するように溶解されてもよい。このような変形により、回路基板１７０がヒートピン１８２から離脱するのを防止できる。この方法では、回路基板１７０は、ハウジングの下部分１２０ｂに固定的に連結され得る。
【００３８】
回路基板１７０は、ロック１５４から上向きに延びる回路基板係合部材１２８により更に所定の位置に保持され得る。回路基板係合部材１２８は、回路基板１７０と相互作用するように構成されてもよく、その結果、回路基板１７０は、ハウジングの下部分１２０ｂに対して適切な位置に設置される。例えば、回路基板係合部材１２８は、ヒートピン１８２と一緒に、回路基板１７０がエラストマコネクタ１５０に電気的に連結するのに適切に配置されるのを保証するように構成されてもよい。
【００３９】
図７Ａ及び図７Ｂは、部分的に組み立てられた構成にある膨張装置１００の遠位端部の別の斜視図を提供する。特に、これらの図は、表示画面１９０（例えば、液晶表示画面）及びハウジングの上部分１２０ａと膨張装置１００の別の構成要素との連結を示す。
【００４０】
特に、図７Ａ及び図７Ｂに示すように、表示画面１９０は、回路基板１７０の上に置かれて電気的に連結されてもよく、その結果、表示画面１９０は、ハウジングの下部分１２０ｂに連結される複数の弾性ピン１８４によって支持される。示された実施形態は、第１セットの２つの遠位弾性ピン１８４と第２セットの２つの近位弾性ピン１８４とを含む。弾性ピン１８４は、表示画面１９０の底縁部に隣接する表示画面１９０の１つ又は２つ以上の外面に接するように構成される。いくつかの実施形態では、表示画面１９０は、弾性ピン１８４と相互作用するように構成される１つ又は２つ以上の傾斜面を含む。
【００４１】
図５Ａ及び図５Ｂに関連して上述したように、弾性ピン１８４は、棚部１８６と、弾性ピン１８４の先端に隣接する傾斜部分１８５とを含んでもよい。別の実施形態では、弾性ピンは棚部が無くてもよい。各弾性ピン１８４の傾斜部分１８５は、下向きの力が表示画面１９０に加えられる際に、外向きに偏向する（すなわち、表示画面１９０から離れる）ように構成されてもよい。つまり、表示画面１９０に加えられる下向きの力が増えるにつれ、弾性ピン１８４は外向きに偏向でき、これによってハウジングの下部分１２０ｂに対する表示画面１９０の下向きの変位が可能になる。弾性ピン１８４の棚部１８６は、表示画面１９０がハウジングの下部分１２０ｂに向かって変位し得る程度を制限してもよい。膨張装置１００は、弾性ピン１８４の偏向能のため変更された寸法の表示画面１９０を収容するように構成され得る。言い換えれば、弾性ピン１８４は、比較的厚い表示画面１９０が弾性ピン１８４とハウジングの上部分１２０ａとの間に配設される場合、比較的薄い表示画面１９０が弾性ピン１８４とハウジングの上部分１２０ａとの間に配設される場合よりも大きな程度に偏向し得る。この方法では、弾性ピン１８４は、範囲内で、表示画面１９０の厚い部分又は別の寸法に関する許容誤差に応じることができる。
【００４２】
下向きの力は、ハウジングの上部分１２０ａにより表示画面１９０に加えられてもよい。言い換えれば、ハウジングの上部分１２０ａがハウジングの下部分１２０ｂに（例えば、連結要素１８８を介して）連結される際に、ハウジングの上部分１２０ａは表示画面１９０に対して押圧してもよく、（１）ハウジングの下部分１２０ｂに対する表示画面１９０の下向き変位と（２）弾性ピン１８４の外向き偏向との両方を引き起こす。ハウジングの上部分１２０ａ及びハウジングの下部分１２０ｂは、スナップフィット接続を介して連結され得る。この方法でのハウジングの上部分１２０ａのハウジングの下部分１２０ｂへの連結により、ハウジング１２０ａ、１２０ｂは、回路基板１７０、電源１８０、及び表示画面１９０のような複数の構成要素を包囲し得る。つまり、回路基板１７０、電源１８０、及び表示画面１９０は、ハウジング１２０ａ、１２０ｂ内に各々配設され得る。
【００４３】
いくつかの実施形態では、弾性ピン１８４は、表示画面１９０が傾斜するようにサイズを合わせられる。例えば、ハウジングの下部分１２０ｂの遠位端部に隣接して配設された弾性ピン１８４は、ハウジングの下部分１２０ｂの近位端部に隣接して配設される弾性ピン１８４よりも長くなり得て、その結果、表示画面１９０の近位端部は、表示画面１９０の遠位端部の位置よりも低い位置に配設される。この方法で表示画面１９０が傾斜することは、表示画面１９０がシリンジ本体１１０の長手方向軸に平行している場合よりも、施術者が表示画面１９０上の圧力読み出し及び／又は他の情報をモニタするのを可能にする位置に表示画面１９０を設置し得る。
【００４４】
図１〜図７Ｂを参照すると、膨張装置１００が組み立てられた状態にある場合、表示画面１９０は回路基板１７０及び圧力変換器１４０と電気通信にあり得る。例えば、シリンジ本体１１０の流体貯蔵器１１２内の圧力を表す圧力変換器１４０からの信号は、１つ又は２つ以上の電気導管を介してベースプレート１４２の電気接点１４４に中継され得る。次に信号は、ベースプレート１４２の電気接点１４４から無半田接続を介して（例えば、エラストマコネクタ１５０を介して）回路基板１７０に更に中継され得る。信号が回路基板１７０によって処理された後、回路基板１７０は、表示画面１９０に信号を送信又は中継してもよい。表示画面１９０は、次にシリンジ本体１１０の流体貯蔵器１１２内の圧力を表す視覚的読み出しを提供してもよい。
【００４５】
図１〜図７Ｂを更に参照すると、膨張装置１００のような膨張装置は、以下のステップ、アダプタ１３０に連結されるシリンジ本体１１０を取得するステップ、ハウジングの下部分１２０ｂの開口部１２６の中にアダプタ１３０を挿入するステップ、及び／又はアダプタ１３０をハウジングの下部分１２０ｂにロックするステップのうちの１つ又は２つ以上を含む過程により製造され得る。
【００４６】
いくつかの実施形態では、アダプタ１３０をハウジングの下部分１２０ｂにロックするステップは、ロック１５４の少なくとも一部分を押圧することを含み、その結果、ロック１５４はアダプタ１３０と係合し、ハウジングの下部分１２０ｂに対するアダプタ１３０の移動を防止する。
【００４７】
いくつかの実施形態では、膨張装置１００を製造する方法は、ハウジングの上部分１２０ａをハウジングの下部分１２０ｂに連結することを含んでもよく、その結果、ハウジング１２０は回路基板１７０及び表示画面１９０を包囲する。そのような実施形態では、ハウジングの上部分１２０ａをハウジングの下部分１２０ｂに連結することは、表示画面１９０に力を及ぼすことができ、表示画面１９０を支え、かつハウジング１２０に連結される１つ又は２つ以上の弾性ピン１８４の偏向を引き起こす。
【００４８】
いくつかの実施形態では、表示画面１９０は、ハウジングの上部分１２０ａと１つ又は２つ以上の弾性ピン１８４との間に配設され、ハウジングの上部分１２０ａを介して表示画面１９０に加えられる下向きの力は、（１）ハウジングの下部分１２０ｂに対する表示画面１９０の下向きの変位と、（２）１つ又は２つ以上の弾性ピン１８４の下向きの偏向との両方を引き起こす。
【００４９】
いくつかの実施形態では、アダプタ１３０をハウジングの下部分１２０ｂの開口部１２６の中に挿入するステップは、ロック１５４の少なくとも一部分の偏向を引き起こす。
【００５０】
本明細書に開示されるいかなる方法も、記載されている方法を実行する１つ又は２つ以上のステップ又は操作を含む。方法のステップ及び／又は操作は、互いに入れ替えてもよい。換言すれば、ステップ又は操作の特定の順序が実施形態の適切な実施に必要とされない限り、特定のステップ及び／又は操作の順序及び／又は使用を変更してもよい。更に、本明細書に記載する方法のサブルーチン又はごく一部のみが、本開示の範囲内の独立した方法であってもよい。換言すれば、方法によっては、より詳細な方法に記載されているステップの一部のみを含んでもよい。
【００５１】
本明細書全体にわたる「ある実施形態」又は「その実施形態」への参照は、その実施形態に関連して説明される特定の特徴、構造、又は特性が少なくとも１つの実施形態に含まれることを意味する。よって、引用される表現、又はその変形は、この明細書を通して引用されるように、必ずしも全て同一の実施形態を参照しているとは限らない。
【００５２】
同様に、本開示の利益を得る当業者は、上の実施形態の記載において、様々な特徴は時々、開示を効率化する目的で、１つの実施形態、図面、又はその説明にまとめられるものとして認識されるべきである。この開示される方法は、しかしながら、その請求項に明示的に記載される特徴よりも多くの特徴をいかなる請求項が要するという意図を反映するように解釈されるものではない。むしろ、以下の請求項が反映するように、発明的な態様は、いかなる１つの上記の開示される実施形態の全ての特徴よりも少ない組み合わせにある。したがって、この発明を実施するための形態に続く特許請求の範囲は、本発明を実施するための形態に明示的に組み込まれており、各請求項はそれぞれ個別に別々の実施形態として独立している。本開示は、独立請求項とそれらの従属請求項のあらゆる置き換えを含む。
【００５３】
特徴又は構成要素に関して、請求項での「第１の」という用語の記載は、必ずしもこのような特徴又は要素の第２又は追加の存在を意味しない。本発明の基本的な原理から逸脱することなく、上記の実施形態の詳細に変更を加えることができることは、当業者に明らかであろう。
【図１】
2018520736.tif 000003
【図２】
2018520736.tif 000004
【図３Ａ】
2018520736.tif 000005
【図３Ｂ】
2018520736.tif 000006
【図４Ａ】
2018520736.tif 000007
【図４Ｂ】
2018520736.tif 000008
【図５Ａ】
2018520736.tif 000009
【図５Ｂ】
2018520736.tif 000010
【図６Ａ】
2018520736.tif 000011
【図６Ｂ】
2018520736.tif 000012
【図７Ａ】
2018520736.tif 000013
【図７Ｂ】
2018520736.tif 000014
【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
シリンジ組立体であって、
流体貯蔵器を画定する細長いシリンジバレルと、
スナップフィット接続を介して前記細長いシリンジバレルに連結されているハウジングと、
圧力変換器と、
前記細長いシリンジバレルの前記流体貯蔵器が、前記圧力変換器と流体連通にあるように前記細長いシリンジバレルの壁を貫通して延びる開口と、
を備え、
前記スナップフィット接続が、
前記細長いシリンジバレルに連結されているアダプタであって、前記アダプタは複数のフランジを含み、前記複数のフランジの各フランジは前記ハウジングと接触している、アダプタと、
前記ハウジングに連結されているロックであって、前記ロックは、前記ハウジングに対する前記アダプタの移動を防止する、ロックと、
を含む、シリンジ組立体。
【請求項２】
回路基板及び表示画面を更に備え、前記回路基板及び前記表示画面は各々、前記ハウジング内に配設されている、請求項１に記載のシリンジ組立体。
【請求項３】
前記圧力変換器が前記アダプタと前記ロックとの間に配設されている、請求項１又は２に記載のシリンジ組立体。
【請求項４】
前記圧力変換器、前記回路基板、及び前記表示画面が互いに電気通信するように構成されている、請求項２又は３に記載のシリンジ組立体。
【請求項５】
前記ロックが前記アダプタと係合するように構成されており、前記ロックが押圧された後に前記ハウジングに対する前記アダプタの移動を防止する、請求項１〜４のいずれか一項に記載のシリンジ組立体。
【請求項６】
前記ロックは、前記ハウジングと連結するための第１部分及び前記アダプタが前記ハウジングの中に挿入される際に上向きに偏向するように構成されている第２部分を含む、請求項１〜５のいずれか一項に記載のシリンジ組立体。
【請求項７】
前記圧力変換器が、無半田電気接続を介して前記回路基板と電気通信にある、請求項２〜６のいずれか一項に記載のシリンジ組立体。
【請求項８】
前記圧力変換器が、エラストマコネクタを介して前記回路基板と電気通信にある、請求項２〜６のいずれか一項に記載のシリンジ組立体。
【請求項９】
前記エラストマコネクタが、前記ロックを貫通して延びる、請求項８に記載のシリンジ組立体。
【請求項１０】
前記回路基板が、１つ又は２つ以上のヒートピンを介して前記ハウジングに連結されている、請求項２〜９のいずれか一項に記載のシリンジ組立体。
【請求項１１】
前記表示画面は、前記ハウジングに連結されている複数の弾性ピンによって支持されており、前記複数の弾性ピンは、前記表示画面に加えられた１つ又は２つ以上の力にために偏向するように構成されている、請求項２〜１０のいずれか一項に記載のシリンジ組立体。
【請求項１２】
前記複数の弾性ピンは、偏向されていない場合には垂直方向に向けられており、前記弾性ピンは、前記表示画面に加えられる１つ又は２つ以上の力のために略外向きの方向に偏向するように構成されている、請求項１１に記載のシリンジ組立体。
【請求項１３】
前記表示画面は液晶表示画面である、請求項２〜１２のいずれか一項に記載のシリンジ組立体。
【請求項１４】
前記開口は０．８ｍｍ以下の長さの半径を有する、請求項１〜１３のいずれか一項に記載のシリンジ組立体。
【請求項１５】
前記開口は０．６ｍｍ以下の長さの半径を有する、請求項１４に記載のシリンジ組立体。
【請求項１６】
前記ハウジングは下部分及び上部分を含み、前記ハウジングの前記下部分及び前記ハウジングの前記上部分は、組み立ての間に互いに連結されている、請求項１〜１５のいずれか一項に記載のシリンジ組立体。
【請求項１７】
膨張装置を製造する方法であって、前記方法は、
アダプタに連結されているシリンジ本体を取得することであって、前記シリンジ本体は、前記シリンジ本体の側壁を貫通して延びる開口を含む、ことと、
前記アダプタをハウジングの下部分の開口の中に挿入することと、
前記アダプタを前記ハウジングの前記下部分にロックすることと、
を含む、方法。
【請求項１８】
前記アダプタを前記ハウジングの前記下部分にロックすることは、ロックの少なくとも一部分を、前記ロックが前記アダプタと係合して、前記ハウジングの前記下部分に対する前記アダプタの移動を防止するように押圧することを含む、請求項１７に記載の方法。
【請求項１９】
前記ハウジングが回路基板及び表示画面を包囲するように、前記ハウジングの上部分を前記ハウジングの前記下部分に連結することを更に含み、前記ハウジングの前記上部分を前記ハウジングの前記下部分に連結することは、前記表示画面に力を及ぼし、前記表示画面を支持し、かつ前記ハウジングに連結されている１つ又は２つ以上の弾性ピンの偏向を引き起こす、請求項１７又は１８に記載の方法。
【請求項２０】
前記表示画面は、前記ハウジングの前記上部分と前記１つ又は２つ以上の弾性ピンとの間に配設されており、前記ハウジングの前記上部分を介して前記表示画面に加えられた下向きの力は、前記ハウジングの前記下部分に対する前記表示画面の下向きの変位及び前記１つ又は２つ以上の弾性ピンの外向きの偏向を引き起こす、請求項１９に記載の方法。
【請求項２１】
前記アダプタを前記ハウジングの前記下部分の前記開口部の中に挿入することは、前記ロックの少なくとも一部分を偏向させることを含む、請求項１７〜２０のいずれか一項に記載の方法。
【国際調査報告】
2018520736.tif 000015
2018520736.tif 000016
2018520736.tif 000017